(57)【要約】【課題】時計バンド用観音開き形中留めにおいて、見栄えがよいとともに、洗浄後も係止片の可動がスムーズであり、更に係止爪による悪影響を防止でき、製造に際して作業効率を向上させることを課題としている。【解決手段】窓部９０１を有するハウジング９内に窓部９０１から係止爪が突出するようにして係止片１０を収容した係止部と、係止片１０の反挿入側において時計バンドの長手方向に沿った両端から中央に向けてわずかに丸みを帯びさせて肉厚を多くした下板２とを用いるとともに、下板２と第１の上板３及び第２の上板４は、それぞれの連結側端部に形成した円筒状の連結部に凹部１５０１を有する連結ピン１５を貫通させることで折りたたみ自在に連結するとともに、連結部における凹部１５０１に対応する箇所を内周側に突出させて凹部１５０１に嵌合させて連結ピン１５の位置を固定した。【選択図】              図１
2004187752.tif 000002
【特許請求の範囲】
【請求項１】
保持窓（２０１）及び係止窓（２０２）を有する下板（２）と、
一端が時計バンドの一方に回動自在に連結されるとともに他端が前記下板（２）に折りたたみ自在に連結され、更に、これを下板（２）側に折りたたんだ際に前記下板（２）の前記保持窓（２０１）に挿入可能な、空洞部（３０２）を有する突起部（３０１）を具備する第１の上板（３）と、
前記空洞部（３０２）内に挿入固定された、前記第１の上板（３）を前記下板（２）側に折りたたんだ際に前記下板（２）の前記保持窓（２０１）に保持される保持部（６）と、
一端が前記下板（２）に折りたたみ自在に連結された第２の上板（４）と、
一端が時計バンドの他方に回動自在に連結されるとともに他端が前記第２の上板（４）の他端に折りたたみ自在に連結され、更に、これを前記第２の上板（４）とともに前記下板（２）側に折りたたんだ際に前記下板（２）の係止窓（２０２）に挿入係止される係止片（１０）を備える係止部（８）を具備する表蓋部（５）と、を備えた時計バンド用中留めであって、
前記係止部（８）は、
下面に窓部（９０１）を有するハウジング（９）と、
係止爪（１００１）を具備するとともに、この係止爪（１００１）が前記窓部（９０１）から突出する配置で、及び時計バンドの長手方向に直交する方向に移動自在に前記ハウジング（９）内に収容された一対の係止片（１０）と、
該一対の係止片（１０）間に備えられ、これにより前記一対の係止片（１０）をそれぞれ、時計バンドの長手方向に直交する外側に付勢するバネ（１２）と、を備え、
前記下板（２）は、前記係止片（１０）の反挿入側において、時計バンドの長手方向に沿った両端から中央に向けてわずかに丸みを帯びさせて肉厚を多くし、
前記下板（２）と前記第１の上板（３）は、
下板（２）又は第１の上板（３）における第１の上板（３）又は下板（２）との連結側端部に略円筒状の内側連結部（１３Ａ）を形成し、
第１の上板（３）又は下板（２）における下板（２）又は第１の上板（３）との連結側端部に、第１の上板（３）と下板（２）とを連結させた際に前記内側連結部（１３Ａ）の両端側にそれぞれ位置する配置で略円筒状の一対の外側連結部（１４Ａ）を形成し、
前記内側連結部（１３Ａ）の両端側に前記一対の外側連結部（１４Ａ）を配置するとともに、内側連結部（１３Ａ）及び外側連結部（１４Ａ）内に、長手方向に向けた中央部近傍に凹部（１５０１）を有する連結ピン（１５）を挿入し、
その後、前記内側連結部（１３Ａ）における前記凹部（１５０１）に対応する箇所を内周側に突出させて嵌合突起（１３０２）を形成するとともにこの嵌合突起（１３０２）を前記凹部（１５０１）内に嵌合させ、これにより折りたたみ自在に連結し、
前記下板（２）と前記第２の上板（４）は、
下板（２）又は第２の上板（４）における第２の上板（４）又は下板（２）との連結側端部に略円筒状の内側連結部（１３Ｂ）を形成し、
第２の上板（３）又は下板（２）における下板（２）又は第２の上板（４）との連結側端部に、第２の上板（４）と下板（２）とを連結させた際に前記内側連結部（１３Ｂ）の両端側にそれぞれ位置する配置で略円筒状の一対の外側連結部（１４Ｂ）を形成し、
前記内側連結部（１３Ｂ）の両端側に前記一対の外側連結部（１４Ｂ）を配置するとともに、内側連結部（１３Ｂ）及び外側連結部（１４Ｂ）内に、長手方向に向けた中央部近傍に凹部（１５０１）を有する連結ピン（１５）を挿入し、
その後、前記内側連結部（１３Ｂ）における前記凹部（１５０１）に対応する箇所を内周側に突出させて嵌合突起（１３０２）を形成するとともにこの嵌合突起（１３０２）を前記凹部（１５０１）内に嵌合させ、これにより折りたたみ自在に連結した、
ことを特徴とする時計バンド用中留め。
【請求項２】
保持窓（２０１）及び係止窓（２０２）を有する下板（２）と、
一端が時計バンドの一方に回動自在に連結されるとともに他端が前記下板（２）に折りたたみ自在に連結され、更に、これを下板（２）側に折りたたんだ際に前記下板（２）の前記保持窓（２０１）に挿入可能な、空洞部（３０２）を有する突起部（３０１）を具備する第１の上板（３）と、
前記空洞部（３０２）内に挿入固定された、前記第１の上板（３）を前記下板（２）側に折りたたんだ際に前記下板（２）の前記保持窓（２０１）に保持される保持部（６）と、
一端が前記下板（２）に折りたたみ自在に連結された第２の上板（４）と、
一端が時計バンドの他方に回動自在に連結されるとともに他端が前記第２の上板（４）の他端に折りたたみ自在に連結される表蓋部（５）と、を備えた時計バンド用中留において、前記表蓋部（５）内に装着される係止部（８）であって、
下面に窓部（９０１）を有するハウジング（９）と、
係止爪（１００１）を具備するとともに、この係止爪（１００１）が前記窓部（９０１）から突出する配置で、及び時計バンドの長手方向に直交する方向に移動自在に前記ハウジング（９）内に収容された、前記表蓋部（７）を前記第２の上板（４）とともに前記下板（２）側に折りたたんだ際に前記下板（２）の係止窓（２０２）に挿入係止される一対の係止片（１０）と、
該一対の係止片（１０）間に備えられ、これにより前記一対の係止片（１０）をそれぞれ、時計バンドの長手方向に直交する外側に付勢するバネ（１２）と、を備えたことを特徴とする時計バンド用中留めに用いる係止部。
【請求項３】
前記係止片（１０）における摺動部に樹脂を塗布したことを特徴とする請求項２に記載の時計バンド用中留めに用いる係止部。
【請求項４】
保持窓（２０１）及び係止窓（２０２）を有する下板（２）と、
一端が時計バンドの一方に回動自在に連結されるとともに他端が前記下板（２）に折りたたみ自在に連結され、更に、これを下板（２）側に折りたたんだ際に前記下板（２）の前記保持窓（２０１）に挿入可能な、空洞部（３０２）を有する突起部（３０１）を具備する第１の上板（３）と、
前記空洞部（３０２）内に挿入固定された、前記第１の上板（３）を前記下板（２）側に折りたたんだ際に前記下板（２）の前記保持窓（２０１）に保持される保持部（６）と、
一端が前記下板（２）に折りたたみ自在に連結された第２の上板（４）と、
一端が時計バンドの他方に回動自在に連結されるとともに他端が前記第２の上板（４）の他端に折りたたみ自在に連結され、更に、これを前記第２の上板（４）とともに前記下板（２）側に折りたたんだ際に前記下板（２）の係止窓（２０２）に挿入係止される係止片（１０）を備える係止部（８）を具備する表蓋部（５）と、を備えた時計バンド用中留めにおいて、
前記下板（２）の前記係止片（１０）の反挿入側における肉厚を、時計バンドの長手方向に沿った両端から中央に向けてわずかに丸みを帯びさせて多くしたことを特徴とする時計バンド用中留めに用いる下板。
【請求項５】
保持窓（２０１）及び係止窓（２０２）を有する下板（２）と、
一端が時計バンドの一方に回動自在に連結されるとともに他端が前記下板（２）に折りたたみ自在に連結され、更に、これを下板（２）側に折りたたんだ際に前記下板（２）の前記保持窓（２０１）に挿入可能な、空洞部（３０２）を有する突起部（３０１）を具備する第１の上板（３）と、
前記空洞部（３０２）内に挿入固定された、前記第１の上板（３）を前記下板（２）側に折りたたんだ際に前記下板（２）の前記保持窓（２０１）に保持される保持部（６）と、
一端が前記下板（２）に折りたたみ自在に連結された第２の上板（４）と、
一端が時計バンドの他方に回動自在に連結されるとともに他端が前記第２の上板（４）の他端に折りたたみ自在に連結され、更に、これを前記第２の上板（４）とともに前記下板（２）側に折りたたんだ際に前記下板（２）の係止窓（２０２）に挿入係止される係止片（１０）を備える係止部（８）を具備する表蓋部（５）と、を備えた時計バンド用中留めにおいて、
前記下板（２）又は前記第１の上板（３）における第１の上板（３）又は下板（２）との連結側端部に略円筒状の内側連結部（１３Ａ）を形成し、
第１の上板（３）又は下板（２）における下板（２）又は第１の上板（３）との連結側端部に、第１の上板（３）と下板（２）とを連結させた際に前記内側連結部（１３Ａ）の両端側にそれぞれ位置する配置で略円筒状の一対の外側連結部（１４Ａ）を形成し、
前記内側連結部（１３Ａ）の両端側に前記一対の外側連結部（１４Ａ）を配置するとともに、内側連結部（１３Ａ）及び外側連結部（１４Ａ）内に、長手方向に向けた中央部近傍に凹部（１５０１）を有する連結ピン（１５）を挿入し、
その後、前記内側連結部（１３Ａ）における前記凹部（１５０１）に対応する箇所を内周側に突出させて嵌合突起（１３０２）を形成するとともにこの嵌合突起（１３０２）を前記凹部（１５０１）内に嵌合させ、これにより、前記下板（２）に対して第１の上板（３）を折りたたみ自在に連結したことを特徴とする時計バンド用中留めに用いる下板の連結構造。
【請求項６】
保持窓（２０１）及び係止窓（２０２）を有する下板（２）と、
一端が時計バンドの一方に回動自在に連結されるとともに他端が前記下板（２）に折りたたみ自在に連結され、更に、これを下板（２）側に折りたたんだ際に前記下板（２）の前記保持窓（２０１）に挿入可能な、空洞部（３０２）を有する突起部（３０１）を具備する第１の上板（３）と、
前記空洞部（３０２）内に挿入固定された、前記第１の上板（３）を前記下板（２）側に折りたたんだ際に前記下板（２）の前記保持窓（２０１）に保持される保持部（６）と、
一端が前記下板（２）に折りたたみ自在に連結された第２の上板（４）と、
一端が時計バンドの他方に回動自在に連結されるとともに他端が前記第２の上板（４）の他端に折りたたみ自在に連結され、更に、これを前記第２の上板（４）とともに前記下板（２）側に折りたたんだ際に前記下板（２）の係止窓（２０２）に挿入係止される係止片（１０）を備える係止部（８）を具備する表蓋部（５）と、を備えた時計バンド用中留めにおいて、
前記下板（２）又は前記第２の上板（４）における第２の上板（４）又は下板（２）との連結側端部に略円筒状の内側連結部（１３Ｂ）を形成し、
第２の上板（４）又は下板（２）における下板（２）又は第２の上板（４）との連結側端部に、第２の上板（４）と下板（２）とを連結させた際に前記内側連結部（１３Ｂ）の両端側にそれぞれ位置する配置で略円筒状の一対の外側連結部（１４Ｂ）を形成し、
前記内側連結部（１３Ｂ）の両端側に前記一対の外側連結部（１４Ｂ）を配置するとともに、内側連結部（１３Ｂ）及び外側連結部（１４Ｂ）内に、長手方向に向けた中央部近傍に凹部（１５０１）を有する連結ピン（１５）を挿入し、
その後、前記内側連結部（１３Ｂ）における前記凹部（１５０１）に対応する箇所を内周側に突出させて嵌合突起（１３０２）を形成するとともにこの嵌合突起（１３０２）を前記凹部（１５０１）内に嵌合させ、これにより、前記下板（２）に対して第２の上板（４）を折りたたみ自在に連結したことを特徴とする時計バンド用中留めに用いる下板の連結構造。
【発明の詳細な説明】
【０００１】
【発明の属する技術分野】
本発明は、時計バンド用中留め並びにそれに用いる係止部、下板、及び下板の連結構造に係り、より詳しくは、時計バンド用観音開き形中留め並びにそれに用いる係止部、下板、及び下板の連結構造に関する。
【０００２】
【従来の技術】
従来から、時計バンドの中留としては、高級感を高めるという目的のもとで観音開き形のものが使用されており、本出願人は過去において、バネで保持されたセラミック製の保持部を有する時計バンド用観音開き形中留めを開示している（特許第３３５９５３７号）。
【０００３】
図１５はこの本出願人が過去に提案した従来の時計バンド用観音開き形中留め（以下単に「従来の中留め」という。）を説明するための斜視図であり、図において３１が従来の中留めである。
【０００４】
そして、この従来の中留め３１では、保持窓３２０１及び係止窓３２０２を有する下板３２に、第１の上板３３及び第２の上板３４が折りたたみ自在に連結されており、第１の上板３３には、時計バンドの一方３５が連結されるとともに、第１の上板３３を前記下板３２側に折りたたんだ際に下板３２の前記保持窓３２０１に対応する位置に突起部３３０１が設けられ、この突起３３０１内には保持部３６が挿入固定されている。
【０００５】
一方、第２の上板３４には表蓋３７が折りたたみ自在に連結され、この表蓋３７には時計バンドの他方４０が連結されている。また、表蓋３７には係止部が備えられており、この係止部は、第２の上板３４及び表蓋３７を下板３２側に折りたたんだ際に下板３２の係止窓３２０２に係止される係止片を備えている。
【０００６】
そしてこの構成において、第１の上板３３を下板３２側に折りたたみ、次いで第２の上板３４及び表蓋３７を下板３２側に折りたたむと、保持部３６が保持窓３２０１に保持されるとともに、係止片が下板３２の係止窓３２０２内に係止され、これにより時計バンドの中留が完了する。なお図において３８は、係止窓３２０２に係止される係止片を一体に備えたプッシュボタンである。
【０００７】
【発明が解決しようとする課題】
（１）係止部に関する課題
図１６及び図１７は、従来の中留めにおいて、表蓋３７に備えられて用いられている係止部（以下「従来の係止部」という。）を説明するための図であり、従来の係止部は、下面に溝４１０１が形成されたハウジング４１と、このハウジング４１の上面に装着される蓋４２とを有しており、蓋４２には、嵌合突起４２０２が折り曲げ自在に突出された小窓４２０１が形成されている。
【０００８】
一方、前記ハウジング４１内には、それぞれに係止爪３８０１を備えた一対の係止片３８が、係止爪３８０１が前記溝４１０１より突出するような配置で、及び時計バンドの長手方向に直交する方向に移動自在に収容されているとともに、この一対の係止片３８間にはバネ３９が介在されており、このバネ３９の作用により、前記一対の係止片３８は、ハウジング４１の内部側に移動可能なようにして、ハウジング４１の外側に付勢されている。
【０００９】
また、前記係止片３８の一方には嵌合溝３８０２が形成されており、この嵌合溝３８０２内に、ハウジング４１側に折り曲げた前記嵌合突起４２０２が嵌合され、これにより係止片３８はハウジング４１内に保持されている。
【００１０】
そしてこの従来の係止部をセットする際には、ハウジング４１に蓋４２を装着した後に、バネ３９を介在させた状態の一対の係止片３８を、溝４１０１を介してハウジング４１内に収容し、その後に嵌合突起４２０２を折り曲げるとともにこの折り曲げた嵌合突起４２０２を前記嵌合溝３８０１内に嵌合させ、この状態で前記表蓋３７内に装着する。
【００１１】
しかしながら、この従来の係止部では、これを表蓋３７に装着した際に、下面において前記溝４１０１が露出してしまい、見栄えが悪いという問題点が指摘されている。
【００１２】
そこで、本発明は、特に係止部の下面において見栄えの良い時計バンド用中留めを提供することを課題としている。
【００１３】
（２）係止片に関する課題
前述のように、係止片３８は、バネ３９によりハウジング４１の外側に付勢されており、係止片３８のそれぞれをハウジング４１内に押すことによって係止爪３８０１と係止窓３２０２との係止が解除されるが、このとき、係止片３８の可動をスムーズにするために、従来の中留めでは、有機溶剤で希釈した潤滑油を係止片３８に塗布していた。
【００１４】
一方、長期間の使用の後に中留めの洗浄を行なうことでこの潤滑油は洗い流されてしまうが、このとき、一般の時計店では有機溶剤を準備していないことが多いために、希釈していない潤滑油を塗布することになる。そうすると、余分な油が係止部の表面側に染み出てしまいシミになってしまうという問題点がある。
【００１５】
そこで、本発明は、洗浄を行なった場合でも係止片の可動をスムーズにすることが可能な時計バンド用中留めを提供することも課題としている。
【００１６】
（３）下板に関する課題
図１８は、従来の中留めにおいて係止窓３２０２に係止爪３８０１を係止させた状態における係止窓３２０２の近傍の構造を時計バンドの長手方向に向けて示した図であり、このように従来の中留めでは、係止窓３２０２に係止爪３８０１を係止させた状態においては、係止爪３８０１が下板３２より突出してしまい、これにより、肌触りが悪いとともに、突出した係止爪３８０１で肌に傷みを感じることがあり、更に係止爪３８０１の跡が肌に残ってしまうこともあった。
【００１７】
そこで、本発明は、係止爪による悪影響を防止可能な時計バンド用中留めを提供することも課題としている。
【００１８】
（４）下板の連結構造に関する課題
図１９及び図２０は従来の中留めにおいて下板を第１の上板あるいは第２の上板に折りたたみ自在に連結する方法を説明した図であり、従来の中留めでは、第１の上板３３及び第２の上板３４における下板３２との連結側端部を二股にするとともにこの二股にした部分を略円筒形状に丸めて連結部３２０３を形成し、一方、下板３２の端部を、前記二股間に挿入可能なように略円筒形状に丸めて連結部を形成し（図示せず）、第１の上板３３及び第２の上板３４に形成した二股の連結部３２０３間に下板３２に形成した連結部を配置した後にこれらを連結ピン４３で貫通するとともに、図２０に示すようにして、連結部３２０３の先端部を第１の上板３３あるいは第２の上板３４側に変形させ、及び下板３２の端部に形成した連結部の先端部を下板側に変形させ、その後に、連結ピンの両端を潰して連結ピン４３の位置を固定し、これにより、下板３２と第１の上板３３を、及び下板３２と第２の上板３４とを折りたたみ自在に連結していた。
【００１９】
しかしながら、このような連結方法では、連結ピンの両端を潰す際に摩擦熱が発生してしまい、この摩擦熱の影響で作業がスムーズにいかないという問題点が指摘されている。また、連結ピン４３を挿入した後に連結部３２０３を更に変形させる工程が必要であるという問題点も指摘されている。
【００２０】
そこで、本発明は、下板と第１又は第２の上板との連結に際して、作業効率を向上させることをも課題としている。
【００２１】
【課題を解決するための手段】
本発明の時計バンド用中留めは、保持窓及び係止窓を有する下板と、一端が時計バンドの一方に回動自在に連結されるとともに他端が前記下板に折りたたみ自在に連結され、更に、これを下板側に折りたたんだ際に前記下板の前記保持窓に挿入可能な、空洞部を有する突起部を具備する第１の上板と、前記空洞部内に挿入固定された、前記第１の上板を前記下板側に折りたたんだ際に前記下板の前記保持窓に保持される保持部と、一端が前記下板に折りたたみ自在に連結された第２の上板と、一端が時計バンドの他方に回動自在に連結されるとともに他端が前記第２の上板の他端に折りたたみ自在に連結され、更に、これを前記第２の上板とともに前記下板側に折りたたんだ際に前記下板の係止窓に挿入係止される係止片を備える係止部を具備する表蓋部と、を備えた時計バンド用中留めであって、
前記係止部は、下面に窓部を有するハウジングと、係止爪を具備するとともに、この係止爪が前記窓部から突出する配置で、及び時計バンドの長手方向に直交する方向に移動自在に前記ハウジング内に収容された一対の係止片と、該一対の係止片間に備えられ、これにより前記一対の係止片をそれぞれ、時計バンドの長手方向に直交する外側に付勢するバネと、を備え、
前記下板は、前記係止片の反挿入側において、時計バンドの長手方向に沿った両端から中央に向けてわずかに丸みを帯びさせて肉厚を多くし、
前記下板と前記第１の上板は、下板又は第１の上板における第１の上板又は下板との連結側端部に略円筒状の内側連結部を形成し、第１の上板又は下板における下板又は第１の上板との連結側端部に、第１の上板と下板とを連結させた際に前記内側連結部の両端側にそれぞれ位置する配置で略円筒状の一対の外側連結部を形成し、前記内側連結部の両端側に前記一対の外側連結部を配置するとともに、内側連結部及び外側連結部内に、長手方向に向けた中央部近傍に凹部を有する連結ピンを挿入し、その後、前記内側連結部における前記凹部に対応する箇所を内周側に突出させて嵌合突起を形成するとともにこの嵌合突起を前記凹部内に嵌合させ、これにより折りたたみ自在に連結し、
前記下板と前記第２の上板は、下板又は第２の上板における第２の上板又は下板との連結側端部に略円筒状の内側連結部を形成し、第２の上板又は下板における下板又は第２の上板との連結側端部に、第２の上板と下板とを連結させた際に前記内側連結部の両端側にそれぞれ位置する配置で略円筒状の一対の外側連結部を形成し、前記内側連結部の両端側に前記一対の外側連結部を配置するとともに、内側連結部及び外側連結部内に、長手方向に向けた中央部近傍に凹部を有する連結ピンを挿入し、その後、前記内側連結部における前記凹部に対応する箇所を内周側に突出させて嵌合突起を形成するとともにこの嵌合突起を前記凹部内に嵌合させ、これにより折りたたみ自在に連結した、ことを特徴としている。
【００２２】
【発明の効果】
（１）係止部の効果
本発明の時計バンド用中留めにおける係止部では、下面に窓部を有するハウジングと、係止爪を具備するとともに、この係止爪が前記窓部から突出する配置で、及び時計バンドの長手方向に直交する方向に移動自在に前記ハウジング内に収容された一対の係止片と、該一対の係止片間に備えられ、これにより前記一対の係止片をそれぞれ、時計バンドの長手方向に直交する外側に付勢するバネと、を備えた構成としており、従来の中留めにおいてハウジングに形成されていた溝を無くした。そのため、係止部の下面における見栄えの悪さを解消することが可能となった。
【００２３】
また、このとき、係止片における摺動面に樹脂を塗布することによって、中留めの洗浄した場合でも、係止片の可動をスムーズにすることが可能である。
【００２４】
（２）下板の効果
本発明の時計バンド用中留めでは、下板の形成にあたって、その係止片の反挿入側において、時計バンドの長手方向に沿った両端から中央に向けてわずかに丸みを帯びさせて肉厚を多くしている。そのため、係止爪が下板より突出することが無く、係止爪による悪影響を防止することが可能である。
【００２５】
（３）下板の連結構造の効果
本発明における下板と第１の上板との連結は、下板又は第１の上板における第１の上板又は下板との連結側端部に略円筒状の内側連結部を形成し、第１の上板又は下板における下板又は第１の上板との連結側端部に、第１の上板と下板とを連結させた際に前記内側連結部の両端側にそれぞれ位置する配置で略円筒状の一対の外側連結部を形成し、前記内側連結部の両端側に前記一対の外側連結部を配置するとともに、内側連結部及び外側連結部内に、長手方向に向けた中央部近傍に凹部を有する連結ピンを挿入し、その後、前記内側連結部における前記凹部に対応する箇所を内周側に突出させて嵌合突起を形成するとともにこの嵌合突起を前記凹部内に嵌合させることにより行なっており、また、本発明における下板と第２の上板との連結は、下板又は第２の上板における第２の上板又は下板との連結側端部に略円筒状の内側連結部を形成し、第２の上板又は下板における下板又は第２の上板との連結側端部に、第２の上板と下板とを連結させた際に前記内側連結部の両端側にそれぞれ位置する配置で略円筒状の一対の外側連結部を形成し、前記内側連結部の両端側に前記一対の外側連結部を配置するとともに、内側連結部及び外側連結部内に、長手方向に向けた中央部近傍に凹部を有する連結ピンを挿入し、その後、前記内側連結部における前記凹部に対応する箇所を内周側に突出させて嵌合突起を形成するとともにこの嵌合突起を前記凹部内に嵌合させることにより行なっている。
【００２６】
そのため、従来の中留めと異なり連結ピンの両端を潰す工程が不要であり、それにより連結ピンが摩擦熱を帯びることが無いために、作業効率を向上させることが可能である。また、略円筒状の連結部を用いているために、連結ピンを挿入した後に連結部を更に変形させる必要が無くなった。
【００２７】
【実施例】
（１）全体の構成
実施例について図面を参照して説明すると、図１は本実施例の時計バンド用中留め（以下単に「中留め」という。）を示す図であり、図において１が本実施例の時計バンド用中留めである。
【００２８】
そして、本実施例における時計バンド用中留め１では、保持窓２０１及び係止窓２０２を有する下板２に、第１の上板３及び第２の上板４が折りたたみ自在に連結され、第１の上板３には、図示しない時計バンドの一方が連結される。
【００２９】
また、第１の上板３には、これを前記下板２側に折りたたんだ際に下板２の前記保持窓２０１に対応する位置に、保持窓２０１に挿入可能な大きさに調整された突起部３０１が設けられているとともに、この突起３０１内には保持部６が挿入固定されている。
【００３０】
（２）保持部の構成
ここで図１１乃至図１４を用いて前記保持部６を説明すると、図１２に示されるように、本実施例における保持部６は、略円筒形状の筐体６０１内に、バネ６０３を介して、球状のセラミック製の可動保持部６０２が、通常の状態においてはその先端部分が筐体６０１の外側へ突出するような配置で、筐体６０１の長手方向へ可動自在に装着されており、これにより、可動保持部６０２の先端を筐体６０１側に押すと可動保持部６０２が筐体６０１内へ入り込むようにしてある。そして、保持部６は、突起部３０１を保持窓２０１に挿入した際に保持窓２０１の縁と可動保持部６０２の先端部分が接触するようにして、突起部３０１に形成した空洞３０２内に挿入固定されている。そしてこれにより、図１３に示すように、第１の上板３を下板２に保持可能としている。
【００３１】
なお、図１４は下板２における保持窓２０１の近傍の肉厚を薄くした形態を示しており、これにより、第１の上板３を下板２に折りたたんだ際にも、全体の厚み（図１４におけるＬ）を薄くすることができ、高級感を高めることができるようになった。
【００３２】
（３）係止部の構成
次に、第２の上板４には、図示しない時計バンドの他方が連結される表蓋部５が折りたたみ自在に連結されており、この表蓋部５には、前記係止窓２０２に係止される係止部８が備えられる。
【００３３】
ここで、図２は、前記表蓋部５を説明するための分解図であり、本実施例において、前記表蓋部５は表蓋７を備えており、この表蓋７は、ピン孔７０４を介して、ピン等により連結部７０５が連結されており、この連結部７０５は、ピン孔７０６を介して、図示しないピン等により時計バンドの他方に連結される。また、この表蓋７内にはピン孔７０３を介して図示しないピン等により係止部８が収容されるとともに、第２の上板４に形成したピン孔４０２、係止部８に形成したピン孔９０１、及び表蓋７に形成したピン孔７０２を介して、図示しないピン等により、前記第２の上板４に、係止部８を備えた表蓋部５が連結されている。なお、図において７０１は、後述する係止片１０の先端部が貫通する貫通用窓部である。
【００３４】
次に、前記係止部８は、図３の分解図で示すように、窓９０１を下面に有したハウジング９と、このハウジング９の上面を閉塞する蓋部１１を備え、前記蓋部１１には一対の小窓１１０１が形成されている。
【００３５】
また、前記ハウジング９内には一対の係止片１０が、その先端部がそれぞれハウジング９の外側に突出するような配置で、及び、時計バンドの長手方向に直交する方向に移動自在に収容されているとともに、この一対の係止片１０間にはバネ１２が介在され（図５参照）、これにより、前記一対の係止片１０は、それぞれ、バネ１２によりハウジング９の外側に付勢されている。
【００３６】
更に、前記一対の係止片１０はそれぞれ、前記係止窓２０２に係止可能な係止爪１００１を備えており、それぞれの係止爪１００１が前記窓９０１を貫通するような配置で、前記ハウジング９内に収容されている。
【００３７】
そして、このように構成される係止部８のセットに際しては、ハウジング９内に係止片１０を収容した後に蓋部１１をハウジング９にスポットする。そしてその後に、前記小窓１１０１を介して、前記一対の係止片１０間にバネ１２を挿入する。
【００３８】
そうすると、前記一対の係止片１０はハウジング９内を時計バンドの長手方向に直交する方向に向けて可動自在であるとともに、その移動は係止爪１００１が窓９０１内を移動する範囲に制限され、更に、バネ１２によりハウジング９の外側に付勢された状態となり、係止片１０の先端部を押すことにより係止爪１００１を可動させ、それにより、係止部８を前記係止窓２０２へ係止させ、及びその係止を解除することが可能となる。
【００３９】
即ち、図６は係止部８の作用を説明するための断面図であり、（Ａ）は係止部８を係止窓２０２に係止する前の状態を示している。
【００４０】
そして、この状態で、係止片１０の先端部をハウジング９側に押すとともに、表蓋部５を第２の上板４とともに下板２側に折りたたんでいくと、第２の上板４に形成した貫通窓４０１を貫通した係止爪部１００１は、（Ｂ）（Ｃ）（Ｄ）に示されるように、係止窓２０２の縁に押されるようにして近接しながら係止窓２０２を通過し、その後（Ｅ）に示されるように係止爪部１００１は係止窓２０２に係止される。
【００４１】
このように、本実施例における係止部８では、ハウジング９に窓９０２を形成して、この窓９０１を係止爪１００１が貫通するような配置でハウジング９内に係止片１０を収容しているため、従来の中留めと異なりハウジングに溝を形成することが無く、従ってこの溝の存在により見栄えが悪くなることを防止することができる。
【００４２】
（４）係止片の構成
次に、本実施例においては、前記係止片１０における蓋部１１との摺動部に樹脂を、より詳しくはフッ素樹脂を塗布し、これにより係止片１０の可動をスムーズにしている。
【００４３】
即ち、前述したように、係止片１０の先端部をハウジング９側に押すとともに、表蓋部５を第２の上板４とともに下板２側に折りたたんでいくと、図６（Ｂ）（Ｃ）（Ｄ）に示されるように、係止爪部１００１が係止窓２０２の縁に押されるようにして近接しながら係止窓２０２を通過するが、このとき、（Ｃ）、（Ｄ）に示されるように、係止爪１００１の基端部分近傍が係止部８の蓋部１１の下面に接触する。そのため、係止片１０の可動をスムーズにするためには、特に係止片１０と蓋部１１との摺動箇所に何らかの処理を施す必要があり、従来は有機溶剤で希釈した潤滑油を塗布していた。しかしながら、前述したように、長期間の使用の後に中留めの洗浄を行なった際にこの潤滑油が洗い流されてしまうために、かかる場合には再び有機溶剤で希釈した潤滑油等を塗布しなければならないところ、一般の時計店では有機溶剤を準備していない場合が多く、そのために希釈しない潤滑油を塗布することになり、これにより油が係止部の表面に染み出てしまうという問題点が指摘されていた。
【００４４】
そこで、本実施例においては、特に前記係止片１０における蓋部１１との摺動部にフッ素樹脂を塗布して、これにより、係止片１０の可動をスムーズにするための潤滑油を不要にすることで中留め等の洗浄の後にも恒久的な潤滑を維持可能にするとともに、潤滑油等を使用した場合の前記問題点を解決した。なお、本実施例において前記フッ素樹脂としては、テフロン（登録商標）を使用した。
【００４５】
（５）下板の構成
次に、図８は、係止片１０を係止窓２０２に係止した状態における係止窓２０２の近傍の構造を時計バンドの長手方向に向けて示した図であり、図において、下板２は、前記係止片１０の反挿入側において、即ち下面において、時計バンドの長手方向に沿った両端から中央に向けて、わずかに丸みを帯びさせて肉厚を多くしている。
【００４６】
そしてこれにより、係止爪１００１が下板２から大きく突出することを防止するとともに、時計バンドの長手方向に沿った両端から中央に向けてわずかに丸みを帯びさせているために、これにより長手方向に沿った両端部の肉厚を従来と同様にし、デザイン上の美感を損なうことを防止している。
【００４７】
（６）下板の連結構造
次に、図９及び図１０は、本実施例における下板２と第１の上板３、及び下板２と第２の上板４との連結構造を説明するための図であり、本実施例においては、下板２の長手方向に向けた両端部において、その、時計バンドの長手方向に直交する方向における略中央部近傍に、円筒状の内側連結部１３Ａ、１３Ｂを一体に形成し、一方、第１の上板３及び第２の上板４における下板２との連結側端部にはそれぞれ、第１の上板３及び第２の上板４を下板２に連結させた際に前記内側連結部１３Ａ、１３Ｂの両端側にそれぞれ位置する配置で、円筒状の一対の外側連結部１４Ａ、１４Ｂを一体に形成している。
【００４８】
そして、内側連結部１３Ａ、１３Ｂ及び外側連結部１４Ａ、１４Ｂを貫通するようにして、長手方向に向けた略中央部近傍に凹部１５０１が形成された連結ピン１５を、円筒状の内側連結部１３Ａ、１３Ｂ及び外側連結部１４Ａ、１４Ｂにおける空洞部内に挿入し、これにより第１の上板３及び第２の上板４を下板２に対して折りたたみ自在に連結させている。
【００４９】
そして更に、前記内側連結部１３Ａ、１３Ｂにおける前記凹部１５０１に対応する箇所を内周側に突出させて嵌合突起１３０２を形成するとともに、この嵌合突起１３０２を前記凹部１５０１内に嵌合させ、これにより連結ピン１５の位置を固定している。この状態を時計バンドの長手方向に向けて示した図が図１０である。
【００５０】
そのため、本実施例においては、連結ピンを挿入した後に連結部を更に変形させるとともに連結ピンの両端を潰してその位置を固定する従来の中留めとは異なり、連結ピンが摩擦熱を帯びることが無く、また作業工程を少なくすることもでき、作業効率の向上を達成することが可能である。
【００５１】
なお、本実施例においては、下板２に内側連結部１３Ａ、１３Ｂを形成し、第１の上板３及び第２の上板４に外側連結部１４Ａ、１４Ｂを形成した場合について説明したが、必ずしもこの形態に限定されることは無く、第１の上板３及び第２の上板４に内側連結部１３Ａ、１３Ｂを形成し、下板２に外側連結部１４Ａ、１４Ｂを形成してもよい。
【図面の簡単な説明】
【図１】時計バンド用中留めの実施例を示す図である。
【図２】時計バンド用中留めの実施例における表蓋部を説明するための図である。
【図３】時計バンド用中留めの実施例における係止部を説明するための図である。
【図４】時計バンド用中留めの実施例における係止部を説明するための図である。
【図５】時計バンド用中留めの実施例における係止部を説明するための図である。
【図６】時計バンド用中留めの実施例における係止片の作用を説明するための図である。
【図７】時計バンド用中留めの実施例における係止片を説明するための図である。
【図８】時計バンド用中留めの実施例における下板を説明するための図である。
【図９】時計バンド用中留めの実施例における下板と第１の上板、及び下板と第２の上板との連結構造を説明するための図である。
【図１０】時計バンド用中留めの実施例における下板と第１の上板、及び下板と第２の上板との連結構造を説明するための図である。
【図１１】時計バンド用中留めの実施例における第１の上板と保持部との関係を示す図である。
【図１２】時計バンド用中留めの実施例における保持部の構造を示す図である。
【図１３】時計バンド用中留めの実施例における保持部の作用を示す図である。
【図１４】時計バンド用中留めの実施例における保持部の作用を示す図である。
【図１５】従来の時計バンド用中留めを説明するための図である。
【図１６】従来の時計バンド用中留めにおける係止部を説明するための図である。
【図１７】従来の時計バンド用中留めにおける係止部を説明するための図である。
【図１８】従来の時計バンド用中留めにおける下板を説明するための図である。
【図１９】従来の時計バンド用中留めにおける下板と第１の上板、及び下板と第２の上板との連結構造を説明するための図である。
【図２０】従来の時計バンド用中留めにおける下板と第１の上板、及び下板と第２の上板との連結構造を説明するための図である。
【符号の説明】
１  時計バンド用中留
２  下板
２０１  保持窓
２０２  係止窓
３  第１の上板
３０１  突起部
３０２  空洞部
４  第２の上板
５  表蓋部
６  保持部
６０１  筐体
６０２  可動保持部
６０３  バネ
７  表蓋
８  係止部
９  ハウジング
９０１  窓
１０  係止片
１００１  係止爪
１００２  摺動部
１１  蓋部
１１０１  小窓
１２  スプリング
１３Ａ、１３Ｂ  内側連結部
１３０２  嵌合突起
１４Ａ，１４Ｂ  外側連結部
１５  連結ピン
１５０１  凹部
【図１】
2004187752.tif 000003
【図２】
2004187752.tif 000004
【図３】
2004187752.tif 000005
【図４】
2004187752.tif 000006
【図５】
2004187752.tif 000007
【図６】
2004187752.tif 000008
【図７】
2004187752.tif 000009
【図８】
2004187752.tif 000010
【図９】
2004187752.tif 000011
【図１０】
2004187752.tif 000012
【図１１】
2004187752.tif 000013
【図１２】
2004187752.tif 000014
【図１３】
2004187752.tif 000015
【図１４】
2004187752.tif 000016
【図１５】
2004187752.tif 000017
【図１６】
2004187752.tif 000018
【図１７】
2004187752.tif 000019
【図１８】
2004187752.tif 000020
【図１９】
2004187752.tif 000021
【図２０】
2004187752.tif 000022